(57)【要約】【課題】容易に設置し固定することができ、且つ鍵盤を汚すことなく容易に除去することができる鍵盤楽器用の音名表示具を提供する。【解決手段】少なくとも、白鍵６と、黒鍵７と、前記黒鍵７との間に隙間９を有する正面壁８と、を有する鍵盤楽器に用いられ、前記白鍵６の表面を覆うように配置される白鍵被覆部３Ａ（または３Ｂ）と、音名が表示される音名表示部４Ａ（または４Ｂ）と、前記黒鍵７および正面壁８の隙間９に挿入されて固定される固定部２Ａ（または２Ｂ）と、を有する鍵盤楽器用の音名表示具１Ａ（または１Ｂ）。【選択図】図３
2008304879.tif 000002
【特許請求の範囲】
【請求項１】
少なくとも、白鍵と、黒鍵と、前記黒鍵との間に隙間を有する正面壁と、を有する鍵盤楽器に用いられ、
前記白鍵の表面を覆うように配置される白鍵被覆部と、
音名が表示される音名表示部と、
前記黒鍵および正面壁の隙間に挿入されて固定される固定部と、を有することを特徴とする鍵盤楽器用の音名表示具。
【発明の詳細な説明】
【技術分野】
【０００１】  本発明は、鍵盤楽器の白鍵の音名を表示する鍵盤楽器用の音名表示具に関する。
【背景技術】
【０００２】  ピアノやオルガン等の鍵盤楽器を演奏する際、初心者にとっては各音名がどの鍵盤に対応するのかが分からず、演奏以前に鍵盤の位置を習得するのに苦労することがあった。これに対し、どの鍵盤がどの音名に対応するのかを分かりやすく認識させる観点から、鍵盤に音名が表示されたシールを貼付ける方法が試されている（例えば、特許文献１および２参照）。しかし、これらの態様においては、該シールを除去する際にシールの接着剤によって鍵盤に汚れが残ってしまうという欠点を有していた。【０００３】  また、鍵盤の近傍に鍵盤と類似した図形を表示する液晶表示装置を設置し、演奏に合わせて液晶表示装置中の対応する鍵盤（鍵盤と類似した図形）を点灯させることによって押鍵する鍵盤を分かりやすく認識させる方法が試されている（例えば、特許文献３参照）。しかし、この態様においては、液晶表示装置を含む大掛かりな装置が必要で、設置する際および除去する際に煩雑な作業が伴うという欠点を有していた。
【特許文献１】  特開平８−２４８８７４号公報
【特許文献２】  特開２００４−３６１９０５号公報
【特許文献３】  特開平９−１５２８６７号公報
【発明の開示】
【発明が解決しようとする課題】
【０００４】  本発明は、容易に設置し固定することができ、且つ鍵盤を汚すことなく容易に除去することができる鍵盤楽器用の音名表示具を提供することを目的とする。
【課題を解決するための手段】
【０００５】  上記目的は、以下の本発明により達成することができる。
即ち本発明の鍵盤楽器用の音名表示具は、少なくとも、白鍵と、黒鍵と、前記黒鍵との間に隙間を有する正面壁と、を有する鍵盤楽器に用いられ、前記白鍵の表面を覆うように配置される白鍵被覆部と、音名が表示される音名表示部と前記黒鍵および正面壁の隙間に挿入されて固定される固定部と、を有することを特徴とする。【０００６】  上記本発明の鍵盤楽器用の音名表示具の作用を説明する。
本発明の鍵盤楽器用の音名表示具は、黒鍵と正面壁との間に存在する隙間に挿入することができる固定部を有していることにより、該固定部を前記隙間に挿入することで音名表示具を容易に鍵盤表面に設置することができ、また演奏中に音名表示具が鍵盤表面からた易くずれてしまうことが無い程度に良好に固定することができる。また、音名表示具を鍵盤表面から除去する際にも容易に除去できると共に、接着剤等を用いて音名表示具を鍵盤に接着固定する必要が無いことから、鍵盤を汚すことなく除去することができる。
また、本発明の鍵盤楽器用の音名表示具は、設置される鍵盤の箇所に対応した音名が表示される音名表示部を有しており、上記のようにして鍵盤表面に設置することにより、各音名がどの鍵盤に対応するのかを演奏者に容易に認識させることができる。【０００７】  ここで、本願特許請求の範囲および明細書において用いている「正面」との文言は、鍵盤の押鍵面（演奏者が押鍵する面）側を「上方向」と、平行して並ぶ多数の黒鍵の該平行線と直行する方向を「横（左右）方向」と、上記平行線が指す方向のうち黒鍵の末端が白鍵に囲われている側を「手前方向」とした場合に、前記手前方向の逆方向を意味する。
但し、本発明は、実際に鍵盤楽器が前記「上方向」を真上に、「横方向」を真横にして配置されることを要しているものではなく、例えば、正面方向から手前方向に向かって高さが低くなるように鍵盤を斜めにして（即ち上方向が真上を向かない態様で）鍵盤楽器を配置していても構わない。また、演奏者が手前方向に位置することを要するものでもない。
【発明の効果】
【０００８】  以上説明したように、本発明の鍵盤楽器用の音名表示具によれば、鍵盤楽器に容易に設置し固定することができ、且つ鍵盤を汚すことなく容易に除去することができるという優れた効果を奏する。
【発明を実施するための最良の形態】
【０００９】  −第１の実施形態−
まず、本発明における第１の実施形態に係る鍵盤楽器用の音名表示具を図面に基づき説明する。【００１０】  図１（Ａ）は、本発明の好ましい一形態である第１の実施形態に係る鍵盤楽器用の音名表示具の内、音名の「ド，レ，ミ」に該当する白鍵の表面に設置される音名表示具を示す斜視図である。図１（Ａ）に示す音名表示具１Ａは、固定部２Ａに、音名の「ド，レ，ミ」に該当する白鍵の表面を覆うように配置される３つの白鍵被覆部３Ａが９０°の角を成すように連結されており、該白鍵被覆部３Ａのそれぞれの先端に「ド，レ，ミ」と表示された音名表示部４Ａを有している。
また図１（Ｂ）は、本発明の好ましい一形態である第１の実施形態に係る鍵盤楽器用の音名表示具の内、音名の「ファ，ソ，ラ，シ」に該当する白鍵の表面に設置される音名表示具を示す斜視図である。図１（Ｂ）に示す音名表示具１Ｂは、固定部２Ｂに、音名の「ファ，ソ，ラ，シ」に該当する白鍵の表面を覆うように配置される４つの白鍵被覆部３Ｂが９０°の角を成すように連結されており、該白鍵被覆部３Ｂのそれぞれの先端に「ファ，ソ，ラ，シ」と表示された音名表示部４Ｂを有している。【００１１】  ここで、第１の実施形態に係る音名表示具１Ａおよび１Ｂの鍵盤楽器への設置方法について説明する。第１の実施形態に係る音名表示具１Ａおよび１Ｂは、図２に示すように白鍵６、黒鍵７と共に正面壁８を有し、且つ黒鍵７と正面壁８との間に隙間９（通常１〜５ｍｍ程度の幅）を有した鍵盤楽器に用いられる。図３の右奥側に示す音名表示具１Ａのように、白鍵６および黒鍵７の上方向から矢印Ｅの方向に音名表示具１Ａを下ろし、図４に示す側面図のように固定部２Ａを黒鍵７と正面壁８との間の隙間９に挿入する。またそれと共に、図５の平面図に示すように、白鍵被覆部３Ａが所定の白鍵６の表面を覆い、且つ黒鍵７が２つの白鍵被覆部３Ａによって挟まれる（例えば「ドの♯」の黒鍵７が「ド」および「レ」と表示された音名表示部４Ａを有する白鍵被覆部３Ａによって挟まれる）ように配置することにより、図３の左手前側に示す音名表示具１Ａのように、鍵盤楽器に音名表示具１Ａを設置することができる。【００１２】  また、音名表示具１Ａの鍵盤楽器からの除去方法は、音名表示具１Ａを矢印Ｅとは逆方向に持ち上げることにより、隙間９に挿入された固定部２Ａが容易に隙間９から引抜かれ、除去を行うことができる。【００１３】  尚、上記設置方法および除去方法の説明において「下ろす」、「持ち上げる」等の文言を用いたが、これは鍵盤楽器と音名表示具１Ａとの相対関係を表すものである。即ち、前述の通り本発明における鍵盤楽器は必ずしも上方向を真上に向けて配置する必要はないため、前記「下ろす」方向が真下方向である必要はなく、また「持ち上げる」方向も真上方向である必要はない。
また、図３の中央に示す音名表示具１Ｂの設置方法、除去方法も上記と同様にして行うことができる。【００１４】  第１の実施形態に係る鍵盤楽器用の音名表示具１Ａおよび１Ｂは、黒鍵７と正面壁８との間に存在する隙間９に挿入することができる固定部２Ａおよび２Ｂを有していることにより、上記設置方法に示すように、音名表示具１Ａおよび１Ｂを容易に鍵盤表面に設置することができ、また演奏中に音名表示具１Ａおよび１Ｂが鍵盤表面からた易くずれてしまうことが無い程度に良好に固定することができる。また、音名表示具１Ａおよび１Ｂを鍵盤表面から除去する際も、上記除去方法に示すように容易に除去できると共に、接着剤等を用いて音名表示具を鍵盤に接着固定する必要が無いことから、鍵盤を汚すことなく除去することができる。
第１の実施形態に係る鍵盤楽器用の音名表示具１Ａおよび１Ｂは、設置される鍵盤の箇所に対応した音名が表示される音名表示部４Ａおよび４Ｂを有しており、上記のようにして鍵盤表面に設置することにより、各音名がどの鍵盤に対応するのかを演奏者に容易に認識させることができる。【００１５】  また、第１の実施形態に係る音名表示具１Ａおよび１Ｂは、固定部２Ａ（または２Ｂ）と白鍵被覆部３Ａ（または３Ｂ）との連結部が９０°の角を成すように固定されていてもよいが、連結部の角度が自由に変動することがより好ましい。連結部の角度が自由に変動することにより、白鍵６を押鍵した際に白鍵被覆部３Ａ（または３Ｂ）がその白鍵６に追従して動くため、白鍵６と白鍵被覆部３Ａ（または３Ｂ）とが衝突して音が発生することを防止することができる。また、更には連結部の角度が１８０°または０°にまで変動可能である場合には、未使用時における収納性に優れる観点から好ましい。【００１６】  また、図１（Ａ）および（Ｂ）に示す音名表示具１Ａおよび１Ｂは、白鍵被覆部３Ａおよび３Ｂの長さが黒鍵７より長く設定され、固定部２Ａ（または２Ｂ）と２つの白鍵被覆部３Ａ（または３Ｂ）とで黒鍵７を取り囲む態様となっている。音名表示具１Ａ（または１Ｂ）が黒鍵７を取り囲むことにより、音名表示具１Ａ（または１Ｂ）をより良好に鍵盤上に固定することができる。【００１７】  また、図１（Ａ）および（Ｂ）には、３つおよび４つの白鍵被覆部３Ａおよび３Ｂが固定部２Ａおよび２Ｂに連結した例を示したが、第１の実施形態に係る音名表示具はこれに限定されるわけではなく、白鍵被覆部をいくつ有していてもよい。但し、より良好に鍵盤上に固定できるとの観点から、少なくとも１つの黒鍵を間に有する２つの白鍵に対応する２つの白鍵被覆部を有していることがより好ましい。【００１８】  また、図３には、音名の「ド，レ，ミ」に該当する白鍵の表面に設置される音名表示具１Ａを２つと、音名の「ファ，ソ，ラ，シ」に該当する白鍵の表面に設置される音名表示具１Ｂを１つ鍵盤上に設置する態様を示したが、これに限定されるわけではなく、必要に応じていくつ設置してもよい。【００１９】  また、第１の実施形態に係る音名表示具１Ａおよび１Ｂは、ポリ塩化ビニル等の合成樹脂によって形成されていることが好ましく、更には、白鍵被覆部３Ａおよび３Ｂの裏面（白鍵６と接する側の面）は、接触による音の発生の防止、および白鍵表面のキズ発生の防止の観点から、防音防キズ素材（例えばフェルトなど）によって構成することができる。【００２０】  また、白鍵被覆部３Ａおよび３Ｂは、意匠性の観点から白鍵の色（通常は白）と同系色とすることが好ましい。また、音名表示部４Ａおよび４Ｂには、音名の識別性をより向上させる観点から、音名を色分けして示すことがより好ましい。【００２１】  −第２の実施形態−
次いで、本発明における第２の実施形態に係る鍵盤楽器用の音名表示具を図面に基づき説明する。【００２２】  図６は、本発明の好ましい一形態である第２の実施形態に係る鍵盤楽器用の音名表示具であって、音名の「ド，レ，ミ」に該当する白鍵の表面に設置される音名表示具、および音名の「ファ，ソ，ラ，シ」に該当する白鍵の表面に設置される音名表示具を示す斜視図である。尚、図６に示す第２の実施形態に係る音名表示具１１Ａおよび１１Ｂは、白鍵被覆部１３Ａおよび１３Ｂの長さが黒鍵７の長さよりも短いこと以外は、前述の第１の実施形態に係る音名表示具１Ａおよび１Ｂと同様の構成であり、設置方法や除去方法、好ましい態様やその効果も同様である。以下においては、前述の第１の実施形態と重複する記載は省いて説明する。【００２３】  第２の実施形態に係る音名表示具１１Ａおよび１１Ｂは、白鍵被覆部１３Ａおよび１３Ｂの長さが黒鍵７より短く、白鍵６の露出面積が多くなるよう設定されている。図６に示すように白鍵被覆部１３Ａおよび１３Ｂの長さが黒鍵７より短いことにより、演奏者が直接触れることができる白鍵６の面積が多くなり、特に指の長い演奏者が演奏する場合には、音名表示具１１Ａおよび１１Ｂが演奏の邪魔になるのを良好に防止することができる。
【図面の簡単な説明】
【００２４】
【図１】  （Ａ）は第１の実施形態に係る鍵盤楽器用の音名表示具の内、音名の「ド，レ，ミ」に該当する白鍵の表面に設置される音名表示具を示す斜視図を、（Ｂ）は第１の実施形態に係る鍵盤楽器用の音名表示具の内、音名の「ファ，ソ，ラ，シ」に該当する白鍵の表面に設置される音名表示具を示す斜視図である。
【図２】  白鍵、黒鍵および正面壁を有し、黒鍵と正面壁との間に隙間を有する鍵盤楽器を示す上方向からの平面図である。
【図３】  第１の実施形態に係る鍵盤楽器用の音名表示具を設置した鍵盤楽器を示す斜視図である。
【図４】  第１の実施形態に係る鍵盤楽器用の音名表示具を設置した鍵盤楽器を示す横方向からの断面図である。
【図５】  第１の実施形態に係る鍵盤楽器用の音名表示具を設置した鍵盤楽器を示す上方向からの平面図である。
【図６】  第２の実施形態に係る鍵盤楽器用の音名表示具を設置した鍵盤楽器を示す斜視図である。
【符号の説明】
【００２５】  １Ａ，１Ｂ，１１Ａ，１１Ｂ    鍵盤楽器用の音名表示具
２Ａ，２Ｂ，１２Ａ，１２Ｂ    固定部
３Ａ，３Ｂ，１３Ａ，１３Ｂ    白鍵被覆部
４Ａ，４Ｂ，１４Ａ，１４Ｂ    音名表示部
６    白鍵
７    黒鍵
８    正面壁
９    隙間
【図１】
2008304879.tif 000003
【図２】
2008304879.tif 000004
【図３】
2008304879.tif 000005
【図４】
2008304879.tif 000006
【図５】
2008304879.tif 000007
【図６】
2008304879.tif 000008